(57)【特許請求の範囲】
【請求項１】
ゴルフクラブの収納部を備えた本体部と、
前記本体部の上部に形成された開口部及び把持部と、
前記収納部からのゴルフクラブの抜け落ちを防止するため、当該収納部内面のほぼ中央部に配置され、ゴルフクラブのシャフトと接触する滑り止め部と、
を備えたクラブケースであって、
前記滑り止め部は、前記把持部が設けられた側の前記本体部の内面に沿って形成されており、
前記本体部は、ゴルフクラブの重量により変形する柔軟な素材から構成されており、ゴルフクラブの重量による収納部の変形に基づいて前記滑り止め部がゴルフクラブのシャフトと接触するものであり、かつ、
クラブケースがほぼ直立した状態においては、クラブケースの本体部がゴルフクラブの重量によってほとんど変形しないため、滑り止め部がシャフトとほとんど接触することがないことを特徴とするクラブケース。
【請求項２】
ゴルフクラブの収納部を備えた本体部と、
前記本体部の上部に形成された開口部及び把持部と、
前記収納部からのゴルフクラブの抜け落ちを防止するため、当該収納部内面のほぼ中央部及び底部付近に配置され、ゴルフクラブのシャフト及びグリップと接触する滑り止め部と、
を備えたクラブケースであって、
前記滑り止め部は、前記把持部が設けられた側の前記本体部の内面に沿って形成されており、
前記本体部は、ゴルフクラブの重量により変形する柔軟な素材から構成されており、ゴルフクラブの重量による収納部の変形に基づいて前記滑り止め部がゴルフクラブのシャフトと接触するものであり、かつ、
クラブケースがほぼ直立した状態においては、クラブケースの本体部がゴルフクラブの重量によってほとんど変形しないため、滑り止め部がシャフトとほとんど接触することがないことを特徴とするクラブケース。
【請求項３】
前記本体部は、開口部に筒状の保形材を備えていることを特徴とする請求項１又は請求項２に記載のクラブケース。
【請求項４】
前記収納部は、下部が徐々に狭くなるように形成されていることを特徴とする請求項１ないし請求項３のいずれか一項に記載のクラブケース。
【請求項５】
前記滑り止め部は、ポリ塩化ビニル製又はポリウレタン製であることを特徴とする請求項１ないし請求項４のいずれか一項に記載のクラブケース。
【請求項６】
前記滑り止め部は、合成皮革又は人工皮革の表面がゴルフクラブのシャフトと接するように、当該合成皮革又は人工皮革を前記収納部の内面に配置することで構成されていることを特徴とする請求項１ないし請求項５のいずれか一項に記載のクラブケース。
【請求項７】
前記滑り止め部を構成する表面素材は、ゴルフクラブのシャフトを水平に載せた幅２１ｃｍの表面素材を２つ折りにしてゴルフクラブを吊し、ゴルフクラブのグリップ側を５０ｍｍ／分にて１分間水平方向に引いた場合の引張力の平均値が約１．４Ｎ以上の摩擦抵抗を発揮するものであることを特徴とする請求項１ないし請求項６のいずれか一項に記載のクラブケース。
【請求項８】
前記開口部は、前記把持部が設けられた前記本体部側から離れるに従って前記本体部の下方に向いて斜めに形成されていることを特徴とする請求項１ないし請求項７のいずれか一項に記載のクラブケース。
【請求項９】
前記開口部は、筒状の保形材によって前記把持部側が広く、把持部側から離れるに従って狭くなる形状に維持されていることを特徴とする請求項１ないし請求項８のいずれか一項に記載のクラブケース。
【請求項１０】
前記本体部は、前記収納部の滑り止め部が設けられた内面以外の部分の裏地が本体部の表生地と密着しておらず、ゴルフクラブのシャフト又はグリップと広範囲に亘り面接触するようになっていることを特徴とする請求項１ないし請求項９のいずれか一項に記載のクラブケース。
【請求項１１】
前記本体部は、折り畳み可能となっていることを特徴とする請求項１ないし請求項１０のいずれか一項に記載のクラブケース。
【発明の詳細な説明】
【技術分野】
【０００１】
本発明は、ゴルフクラブを収納して持ち運ぶために使用するクラブケースに関するものであって、特にゴルフのラウンド中において数本のゴルフクラブを入れて持ち歩くのに好適なクラブケースに関するものである。
【背景技術】
【０００２】
ゴルフのラウンド中においては、一般的にパター以外の全てのゴルフクラブをキャディバッグに入れ、それを乗用のゴルフカートに載せておき、ピンまでの距離に応じて必要なゴルフクラブを選択してキャディーバッグから取り出してプレーを進めている。
【０００３】
そして、ゴルフカートは所定のカート道に沿って走行するため、ボールの位置とカートとの間を何度も歩いて往復するということを防いでプレーを迅速に進めるために、ティーショット後に使用するゴルフクラブとして、フェアウエーウッド、ピッチングウェッジ、サンドウェッジ、その他のアイアン、パターなどから３〜５本程度のゴルフクラブを選択して持ち運ぶことが為されている。
このため、従来、上記のようにゴルフのラウンド中において数本のゴルフクラブのみを入れて移動するのに好適な小型で口が開いたままのクラブケースが提案されている（特許文献１、特許文献２）。
【０００４】
しかしながら、かかる従来のクラブケースにおいては、ゴルフクラブの出し入れの利便性を考慮して開口部がなるべく大きく開口するように円形に形成されている。従って、起伏のあるゴルフコース内でクラブケースを持ち歩いていると、クラブケースの外にはみ出しているクラブヘッドが重いため、クラブケースの開口部側が下向きになるなどしてゴルフクラブが抜け落ちてしまうことがあるという欠点があった。
特にクラブケース内で他のゴルフクラブの上に積み重ねられたゴルフクラブは、他のゴルフクラブの上を滑ってクラブケースから抜け落ちやすくなっていた。
【０００５】
なお、特許文献２に記載のクラブケースは、開口部が小径の円形となっているため、ゴルフクラブの抜け落ちを防ぐにはある程度有効ではあるが、開口部が小さいためゴルフクラブの出し入れをスムーズに行い難いという欠点があった。
【０００６】
上記にて説明したように、ゴルフのラウンド中において数本のゴルフクラブのみを持ち運ぶのに好適な従来のクラブケースにおいては、ゴルフクラブの出し入れの利便性を損なうことなく、ゴルフコース内を移動中にクラブケースからゴルフクラブが抜け落ちてしまうことを防ぐ有効な技術については提案されていなかった。
また、クラブケースを地面に立てるための脚や地面に突き刺すステッキ状の棒材を備えた従来のクラブケースは、重量が増えたり運搬や保管に不便であるという欠点もあった。
【０００７】
なお、上記のようにゴルフのラウンド中にゴルフクラブが抜け落ちてしまうという問題は、キャディーバッグを担いでラウンドするというセルフプレーに際しても生じていた。
これは、従来のキャディバッグにおいては、その内底部にグリップを嵌め込んでゴルフクラブのガタつきを防ぐというような考慮がされているものはあっても、キャディバッグをほぼ水平にしたような場合にゴルフクラブの抜け落ちを防止するということが考慮されていなかったためである（特許文献３、特許文献４）。
【０００８】
特に従来のキャディバッグにおいては、キャディバッグの内底部に挟まれるように保持されていたゴルフクラブのグリップエンドが内底部から一旦外れると、その後は何らゴルフクラブの抜け落ちを防ぐ有効な作用が発揮されることはなかった。
【先行技術文献】
【特許文献】
【０００９】
【特許文献１】米国意匠特許第３７２１２６号公報
【特許文献２】米国意匠特許第３２２８３１号公報
【特許文献３】特開平１０−１０８９２９号公報
【特許文献４】特開２００２−２４８１８５号公報
【発明の概要】
【発明が解決しようとする課題】
【００１０】
そこで、本発明が解決しようとする課題は、ゴルフのラウンド中において使用するゴルフクラブを入れて持ち歩く際に使用するのに適したクラブケースにおいて、ゴルフコース内を移動中にゴルフクラブが抜け落ちてしまうことであり、本発明の目的は、そのような問題を解決するクラブケースを提供することにある。
【００１１】
さらに、本発明の他の目的は、ゴルフのラウンド中において使用する数本のゴルフクラブを入れて持ち歩く際に使用するのに適したクラブケースにおいて、ゴルフクラブの出し入れの利便性を損なうことなく、ゴルフコース内を移動中にゴルフクラブが抜け落ちてしまうことを解決するクラブケースを提供することにある。
【課題を解決するための手段】
【００１２】
本発明は、ゴルフクラブの収納部を備えた本体部と、前記本体部の上部に形成された開口部及び把持部と、前記収納部からのゴルフクラブの抜け落ちを防止するため、当該収納部内面のほぼ中央部に配置され、ゴルフクラブのシャフトと接触する滑り止め部と、を備えたクラブケースであって、
前記滑り止め部は、前記把持部が設けられた側の前記本体部の内面に沿って形成されており、前記本体部は、ゴルフクラブの重量により変形する柔軟な素材から構成されており、ゴルフクラブの重量による収納部の変形に基づいて前記滑り止め部がゴルフクラブのシャフトと接触するものであり、かつ、クラブケースがほぼ直立した状態においては、クラブケースの本体部がゴルフクラブの重量によってほとんど変形しないため、滑り止め部がシャフトとほとんど接触することがないクラブケースを最も主要な特徴とするものである。
前記収納部内面の底部付近にも滑り止め部を設け、ゴルフクラブのシャフト及びグリップと接触するようにしてもよい。
【００１３】
前記本体部は、前記収納部のほぼ中央部ないし開口部付近が、収納部内に収納されるゴルフクラブの重量を支えることができ、かつ、ゴルフクラブの重量により変形する柔軟な素材から構成されており、ゴルフクラブの重量による収納部の変形に基づいて前記滑り止め部がゴルフクラブのシャフトと接触するようになっていてもよい。
また、前記本体部は、開口部に筒状の保形材を備えていてもよく、前記収納部は、下部が徐々に狭くなるように形成されていてもよい。
【００１４】
前記滑り止め部は、ポリ塩化ビニル製又はポリウレタン製であってもよく、前記滑り止め部は、合成皮革又は人工皮革の表面がゴルフクラブのシャフトと接するように、合成皮革又は人工皮革を前記収納部の内面に配置することで構成されていてもよい。
【００１５】
前記滑り止め部を構成する表面素材は、ゴルフクラブのシャフトを水平に載せた幅２１ｃｍの表面素材を２つ折りにしてゴルフクラブを吊し、ゴルフクラブのグリップ側を５０ｍｍ／分にて１分間水平方向に引いた場合の引張力の平均値が約１．４Ｎ以上の摩擦抵抗を発揮するものであるとよい。
【００１６】
前記本体部がその上部に把持部を備えている場合において、前記開口部は、前記把持部が設けられた前記本体部側から離れるに従って前記本体部の下方に向いて斜めに形成されているとよい。
【００１７】
また、前記本体部がその上部に把持部を備えている場合において、前記開口部は、筒状の保形材によって前記把持部側が広く、把持部側から離れるに従って狭くなる形状に維持されているとよい。
【００１８】
前記本体部は、前記収納部の滑り止め部が設けられた内面以外の部分の裏地が本体部の表生地と密着しておらず、ゴルフクラブのシャフト又はグリップと広範囲に亘り面接触するようになっていてもよい。
なお、前記本体部は、折り畳み可能となっていてもよい。
【発明の効果】
【００１９】
本発明のクラブケースは、滑り止め部がゴルフクラブのシャフトと接触することにより、ゴルフのラウンド中においてゴルフクラブが収納部内から抜け落ちることを防止することができる。
収納部内の底部にも設けられた滑り止め部が、ゴルフクラブのグリップとも接触することで、前記の抜け落ち防止効果をさらに高めることができる。
【００２０】
本発明のクラブケースは、ゴルフクラブの重量により変形する柔軟な素材から構成されており、持ち運びの際にゴルフクラブの重量による収納部の変形に基づいて前記滑り止め部がゴルフクラブのシャフトと接触するようにすることで、滑り止め部によるゴルフクラブの抜け落ち防止効果を高めることができるという利点がある。
【００２１】
一方、クラブケースからゴルフクラブを取り出す際には、クラブケースの下端部を地面に置くことで、クラブケースがほぼ直立した状態となるため、クラブケースがゴルフクラブの重量により変形することはない。従って、滑り止め部がゴルフクラブのシャフトに接触することによりゴルフクラブの取り出しに支障を生じることを避けることができる。
即ち、本発明のクラブケースにゴルフクラブを挿入したり、クラブケースからゴルフクラブを取り出す操作については、スムーズに行うことができる。
【００２２】
本発明のクラブケースは、開口部に筒状の保形材を備えることで、開口部を大きく開口させた状態で維持することができ、ゴルフクラブの出し入れを容易に行うことができる。
また、前記収納部の下部を徐々に狭くなるように形成することで、ゴルフクラブのグリップ同士を互いに密着させ、かつ、グリップと滑り止め部との接触力を高めることで、ゴルフクラブの抜け落ち防止効果を高めることができる。
【００２３】
本発明の滑り止め部を入手が容易なポリ塩化ビニル製又はポリウレタン製とすることで、ゴルフクラブの抜け落ち効果を容易に得ることができる。
また、前記滑り止め部を構成する合成皮革又は人工皮革の表面がゴルフクラブのシャフトと接するようにすることで、収納部内の外観の向上と、収納部内面の強度及び耐久性の向上とを得ることができる。
前記滑り止め部を構成する表面素材を所定値以上の摩擦抵抗を有するものから選択することで、ゴルフクラブの抜け落ち防止効果を簡単かつ確実に得ることができる。
【００２４】
さらに、前記開口部が、前記把持部側から離れるに従って前記本体部の下方に向いて斜めに形成されるようにすることで、クラブケースの上端の開口面が傾斜し、開口面積が広くなるとともに、把持部を本体部の上端位置に近づけて固定でき、持ち運びの際において本体部をなるべくクラブヘッドが水平より上方に向くようにすることができる。
また、ゴルフクラブを取り出す際にクラブケースを直立させ易くすることができる。
【００２５】
また、前記開口部が、筒状の保形材によって前記把持部側が広く、把持部側から離れるに従って狭くなる形状とすることで、開口部から収納部内へゴルフクラブを挿入したり、収納部からゴルフクラブを取り出すのが容易となる。さらには、クラブケースの持ち運びの際に開口部の狭くなっている頂点側が下になるため、そこにゴルフクラブのシャフトが集まって互いに密着することにより、収納部に収納されたゴルフクラブが開口部から抜け落ちることをより一層効果的に防ぐことができる。
【００２６】
前記滑り止め部が、前記把持部の設けられた側の前記本体部の内面に沿って形成されていることで、効率的にゴルフクラブの抜け落ち防止効果を得ることができ、さらには収納部内の他の部分に滑り止め部が形成されていないことで、収納部内へのゴルフクラブの挿入をスムーズに行うことができる。
【００２７】
前記収納部の滑り止め部が設けられた内面以外の部分の裏地が本体部の表生地と密着しておらず、ゴルフクラブのシャフト又はグリップと広範囲に亘り面接触するようになっていることで、ゴルフクラブの抜け落ち効果を高めることができる。
また、前記本体部を折り畳み可能とすることで、運搬及び保管に便利なものとすることができる。
【図面の簡単な説明】
【００２８】
【図１】図１は収納されたゴルフクラブの抜け落ちを防いでいる様子を示す本発明のクラブケースの断面図である。（実施例１）
【図２】図２は本発明のクラブケースの使用状態を示す断面図である。（実施例１）
【図３】図３は本発明のクラブケースを示し、（ａ）は肩掛けを取り付けた本体部の正面図、（ｂ）は肩掛けを外した本体部の右側面図である。（実施例１）
【図４】図４は本発明のクラブケースの開口部及び収納部内面を示す平面図である。（実施例１）
【図５】図５は本発明のクラブケースの断面図である。（実施例１）
【図６】図６は本発明のクラブケースの把持部をキャディバッグの口枠に掛けた使用状態を示す側面図である。（実施例１）
【図７】図７は本発明のクラブケースに収納したゴルフクラブのシャフトの様子を示す平面図である。（実施例１）
【図８】図８は本発明の滑り止め部と補強部の縫い付け部の様子を示す拡大断面図である。（実施例１）
【図９】図９は本発明の滑り止め部の表面素材とゴルフクラブのシャフトとの摩擦抵抗の大きさを試験している状態を示す側面図である。（実施例１）
【図１０】図１０は本発明のクラブケース内におけるゴルフクラブの様子を示す断面図であって、（ａ）はクラブケースを立てた状態を示す断面図、（ｂ）はクラブケースを斜めに傾けた通常の使用状態を示す断面図、（ｃ）はクラブケースを水平にした状態を示す断面図、（ｄ）はクラブケースの開口部が下に向いた状態を示す断面図である。（実施例１）
【図１１】図１１は本発明の他の実施例のクラブケースを示す図であって、（ａ）は開口部を示す平面図、（ｂ）はクラブケースに肩掛けを取り付けた本体部の背面図、（ｃ）は肩掛けを外した本体部の正面図、（ｄ）は肩掛けを外した本体部の左側面図である。（実施例２）
【図１２】図１２は本発明の他の実施例のクラブケースを示す図であって、（ａ）は開口部を示す平面図、（ｂ）は本体部の正面図、（ｃ）は本体部の右側面図、（ｄ）は把持部と開口部の保形材を示す斜視図である。（実施例３）
【図１３】図１３は本発明の他の実施例のクラブケースを示す断面図である。（実施例４）
【発明を実施するための形態】
【００２９】
本発明のクラブケースは、ゴルフクラブの収納部を備えた本体部と、前記本体部の上部に形成された開口部と、を備えており、当該収納部内面のほぼ中央部にゴルフクラブのシャフトと接触する滑り止め部を配置することで、前記収納部からのゴルフクラブの抜け落ちを防止することを実現した。
本発明のクラブケースは、前記収納部内面の底部付近にも滑り止め部を設け、ゴルフクラブのシャフト及びグリップと接触するようにしてもよい。
【００３０】
さらに、前記本体部は、前記収納部のほぼ中央部ないし開口部付近が、収納部内に収納されるゴルフクラブの重量を支えることができ、かつ、ゴルフクラブの重量により変形する柔軟な素材から構成することで、ゴルフクラブの重量による収納部の変形に基づいて前記滑り止め部がゴルフクラブのシャフトと接触するようになっていてもよい。
また、前記本体部は、開口部に筒状の保形材を備えていてもよく、前記収納部は、下部が徐々に狭くなるように形成されていてもよい。
【００３１】
前記滑り止め部は、ポリ塩化ビニル製又はポリウレタン製であってもよく、前記滑り止め部は、合成皮革又は人工皮革の表面がゴルフクラブのシャフトと接するように、合成皮革又は人工皮革を前記収納部の内面に配置することで構成されていてもよい。
【００３２】
特に、前記滑り止め部を構成する表面素材は、ゴルフクラブのシャフトを水平に載せた幅２１ｃｍの表面素材を２つ折りにしてゴルフクラブを吊し、ゴルフクラブのグリップ側を５０ｍｍ／分にて１分間水平方向に引いた場合の引張力の平均値が約１．４Ｎ以上の摩擦抵抗を発揮するものであるとよい。
【００３３】
本発明のクラブケースは、前記本体部がその上部に把持部を備えている場合において、前記開口部は、前記把持部が設けられた前記本体部側から離れるに従って前記本体部の下方に向いて斜めに形成されているとよい。
また、前記開口部は、筒状の保形材によって前記把持部側が広く、把持部側から離れるに従って狭くなる形状に維持されているとよい。
さらに、前記滑り止め部は、前記把持部が設けられた側の前記本体部の内面に沿って形成されていてもよい。
【００３４】
前記本体部は、前記収納部の滑り止め部が設けられた内面以外の部分の裏地が本体部の表生地と密着しておらず、ゴルフクラブのシャフト又はグリップと広範囲に亘り面接触するようになっていてもよく、前記本体部は、折り畳み可能となっていてもよい。
【実施例１】
【００３５】
本発明を具体化したクラブケース１０について、以下、説明する。
クラブケース１０は、図１〜図５に示すように、パター、ピッチングウェッジ、サンドウェッジ、その他のアイアン、フェアウエーウッドなどのゴルフクラブＣを計３〜５本程度入れてゴルフのラウンド中にゴルフコース内で持ち運ぶのに適した大きさにて軽量で柔軟な生地を用いて設けられている。
【００３６】
１は、細長い袋状に形成された本体部であって、その外面は、ポリウレタン製のやや厚めの柔軟な表面シートを備えた合成皮革からなる表生地１ａと、ポリエステル製の薄くて丈夫な織布に発泡シートをクッション材として裏打ちした柔軟性の高い表生地１ｂから構成されている。
２は、前記本体部１内に形成された収納部であって、前記本体部１の表生地１ａ，１ｂ及び裏地１ｃの側辺部と底辺部を縫合することで形成され、寸法上７本程度までのゴルフクラブＣのグリップＧ及びシャフトＳを収納することができるようになっている。
【００３７】
３は、前記本体部１の上端部に形成された開口部であって、前記収納部２内へゴルフクラブＣのグリップＧ及びシャフトＳを挿入できるように常時開いた状態となっている。
そして、前記開口部３付近の収納部２の形状を安定させるため、厚さ約２ｍｍ程度の発泡ポリエチレン製の板材を略二等辺三角筒状に形成した保形材３ａが開口部３の付近に取り付けられている。
【００３８】
４は、前記本体部１の上部に固定されフックとしても機能する把持部であって、前記表生地１ａと対応する位置にて前記保形材３ａと固定されている。そして、当該把持部４の上端部は、前記本体部１から延び出るように鉤形（逆Ｕ字状）に湾曲した後、下方へ斜めに延びて本体部１から徐々に離間するように形成されている。
【００３９】
従って、前記把持部４を持つことでクラブケース１０をゴルファーが手で直接持ち運ぶことができるとともに、図６に示すように、当該把持部４をフックとして機能させてクラブケース１０をキャディバッグ５０の開口部５１（口枠）に掛けるようにして保持させ、ゴルフカート６０にてクラブケース１０を運ぶことができる。
【００４０】
なお、前記把持部４の上端部が本体部１から延び出るように湾曲しているため、把持部４の上部と本体部１との間に手（指）を挿入して把持部４の上端位置にてクラブケース１０を持ち易いようになっている。
【００４１】
５は、前記収納部２の内底部（下端部の一側面）から開口部３付近まで設けられた滑り止め部であって、皮シボの表面加工がされたポリ塩化ビニル（ＰＶＣ）製の生地（合成皮革）から構成され、その生地の表面側が収納部２の内面となり、ゴルフクラブＣのシャフトＳ及びグリップＧと接するようになっている。
【００４２】
この滑り止め部５は、前記把持部４が固定されている本体部１の表生地１ａの裏面に沿うように配置されているが、図７及び図８に示すように、本体部１の表生地１ａとは辺縁部にて縫い付けられており、辺縁部以外の部分が、ゴルフクラブＣのシャフトＳとの接触面積を増大させるために表生地１ａから若干浮いた状態となっている。
【００４３】
前記滑り止め部５として用いるのに好適な表面素材を選定するため、各種の表面素材と、ゴルフクラブＣのシャフトＳとの間に作用する滑り止め効果（摩擦抵抗）について試験したところ、下記の表１に示すとおりの結果となった。
試験方法：  図９に示すように、試験片として滑り止め部５の生地（幅２１０ｍｍ、長さ２２０ｍｍ）を二つ折りにして揃え、その長さ方向の両端部を各５ｍｍづつクランプＣＰにて締めて水平に保持し、当該滑り止め部５の生地上にゴルフクラブＣのシャフトＳの露出部分の中央部を載せる。
【００４４】
このとき、ヘッドＨの重さによりシャフトＳのヘッドＨ側が下向きの状態となる。そこで、シャフトＳが水平状態となるように万能材料試験機（株式会社島津製作所製  オートグラフＡＧ−５ＫＮＩＳ）と定滑車Ｆを用いてグリップＧをワイヤＷにて斜め下方に引く。そして、幅２１０ｍｍの生地とシャフトＳとの間に生じる摩擦抵抗を測定するため、その１分間の試験力の平均値を記録した。
なお、シャフトＳの下側と接する試験片の上面からクランプＣＰの下端までの距離は１００ｍｍとなっている。
また、グリップＧとワイヤＷとは、試験結果に影響しない程度の軽量で丈夫なテープとナスカンを用いて固定した。
【００４５】
上記試験の条件は、以下の通りである。
材料試験機による引張速度：５０ｍｍ／ｍｉｎ
材料試験機による引張距離：５０ｍｍ
シャフトＳの中心線と定滑車Ｆの中心との高低差：１００ｍｍ
定滑車Ｆの直径：５０ｍｍ
室温：摂氏２３度
【００４６】
試験に用いたアイアン（サンドウェッジ）のスペック
シャフトの材質：カーボン
シャフトの表面塗装：アクリル樹脂塗装
クラブの総重量：３８７ｇ
グリップの重量：４６ｇ
ヘッドの重量：２８９ｇ
【００４７】
試験に用いたフェアウエーウッド（５Ｗ）のスペック
シャフトの材質：カーボン
シャフトの表面塗装：ポリウレタン系樹脂塗装
クラブの総重量：３３２ｇ
グリップの重量：５０ｇ
ヘッドの重量：２１４ｇ
【００４８】
試験に用いた生地（試験片）の詳細
試験片１：
厚さ約０．８ｍｍのエナメル生地（合成皮革）であって、柔軟であるが伸縮性がほとんど無く、裏地は織布である。表面は、ＰＶＣのツヤ有り加工がされており、平滑でしっとり密着する触感がある。また、生地を指先に押し付けてもほとんど窪むことがなく表面はやや硬めである。
試験片２：
厚さ約５ｍｍのスポンジゴム（ＥＰＤＭゴム）のシート材であって、柔軟で伸縮性に富んでいる。表面は、ツヤが無く、柔らかく指で押すと窪み、平滑でしっとり密着する触感がある。
【００４９】
試験片３：
厚さ約０．５ｍｍの生地（合成皮革）であって、柔軟で伸縮性が有り、裏地は織布である。表面は、ポリウレタン（ＰＵ）の細かい皮シボ加工がされており、しっとり密着する触感がある。また、生地を指先に押し付けると柔らかくよく窪む。
試験片４（実施例１に使用した素材）：
厚さ約０．９ｍｍの生地（合成皮革）であって、柔軟で弱い伸縮性が有り、裏地は織布である。表面は、ポリ塩化ビニル（ＰＶＣ）の粗めの皮シボ加工がされており、しっとり密着する触感がある。また、生地を指先に押し付けても窪みは少ない。
【００５０】
試験片５：
厚さ約０．５ｍｍの生地（合成皮革）であって、柔軟で伸縮性が有り、裏地は織布である。表面は、ポリウレタン（ＰＵ）のツヤ有り加工がされており、平滑でしっとり密着する触感がある。また、生地を指先に押し付けると柔らかくよく窪む。
試験片６：
厚さ約０．９ｍｍの生地（合成皮革）であって、柔軟であるが伸縮性がほとんど無く、裏地は織布である。表面は、ポリウレタン（ＰＵ）のツヤ有りで細かいエンボス加工がされており、しっとり密着する触感がある。また、生地に指先を押し付けてもほとんど窪むことがなく表面はやや硬めである。
【００５１】
試験片７：
厚さ約０．７ｍｍの生地（合成皮革）であって、柔軟であるが伸縮性がほとんど無く、裏地は織布である。表面は、ポリウレタン（ＰＵ）のツヤ無しで細かい皮シボ加工がされているが、しっとり密着する触感に欠け、さらっとした触感がある。また、生地を指先に押し付けてもほとんど窪むことがなく表面は硬めである。
試験片８：
厚さ約１ｍｍの合成ゴムのシート材であって、柔軟である程度の伸縮性が有る。表面は、ツヤが無く、平滑でしっとり密着する触感がある。また、表面はやや硬めであるが、生地を指先に押し付けると窪む。
試験片９：
厚さ約０．１ｍｍのポリエステルの織布生地であって、柔軟で織り糸の斜め方向の伸縮性が有る。表面は、しっとり密着する触感が無く、さらっとした触感がある。
【００５２】
【表１】
0005557544.tif 000002
【００５３】
上記の結果、滑り止め部５の表面素材として、ＰＶＣ又はＰＵを用いることができることが判明したが（特にＰＶＣは表面の状態に影響されにくく良好な結果を得られた。）、表面加工の状態によりシャフトＳに対する滑り止め効果が変動することも明らかとなった。
そこで、上記の結果を踏まえて実際に製品化を行い試験したところ、上記の試験方法によって得られる１．４Ｎ以上の数値を発揮できる素材が本発明の実施に際して滑り止め部として好適に用いることができた。
【００５４】
なお、上記の試験方法によって得られる１．０Ｎ程度の数値の素材であっても、従来のクラブケースでは発揮できなかった本発明の意図する滑り止め効果（抜け落ち防止効果）を発揮できたものの、実施の形態（滑り止め部の配置や収納部の形状や強度の相違など）又はクラブケースの使用態様によってはゴルフクラブＣの抜け落ちを防止できない場合もあった。
【００５５】
６は、前記表生地１ａの下端部を閉じるかしめ金具であって、本体部１及び収納部２の強度及び耐久性を高めるためのものである。
７は、前記表生地１ａの辺縁部に縫い付けられた補強部であって、前記滑り止め部５の長手方向に沿うように設けられており、図８に示すように、直径約３ｍｍのＰＶＣ製の細長い棒状の芯材７ａを本体部１の表生地１ａと同様の生地にて包み込むようにしてから縫い付けることで形成されている。
かかる補強部７により、前記把持部４が設けられた本体部１の表生地１ａ側にはゴルフクラブＣが抜け落ちようとする際の重量を支える十分な強度（腰）が得られる。
【００５６】
しかしながら、本体部１には折り畳みを不能とするような硬い長尺状の部材が使用されていないため、本体部１を３つ折り程度に折り曲げてキャディバッグ又は他のバッグに収納して運搬することは可能となっている。
【００５７】
８は、クラブケース１０持ち運ぶための肩掛けベルトであって、前記把持部４の上下位置にて本体部１に固定された環状金具８ａに対して上下の端部が着脱可能となっている。
この上側の環状金具８ａの取付位置は、開口部３の上端近傍となっており、肩掛けベルト７を肩に掛けて本体部１を持ち歩く際には、図１０（ｂ）に示すように、開口部３が上を向いた状態となり、ゴルフクラブＣの抜け落ちを確実に防ぐことができるばかりか、スコアカードにスコアを記入する際に便利である。
【００５８】
なお、前記開口部３は、前記保形材３ａが配置されていることにより、把持部４側が広く、把持部４側から離れるに従って狭くなるように、即ち、把持部４側を底辺とする略二等辺三角形状に形状が維持されている。さらに、前記開口部３の頂点側（把持部４の反対側）が斜め下方位置に形成されることで、クラブケース１０の上端の開口面が傾斜し、開口面積が広くなるとともに、把持部４を本体部１の上端位置に近づけて固定でき、使用時において本体部１をなるべくクラブヘッドＨが水平より上方に向くようにすることが可能となる。
【００５９】
上記の構成により、開口部３から収納部２内へゴルフクラブＣを挿入したり、収納部２からゴルフクラブＣを取り出すのが容易となる。さらには、図７に示すように、クラブケース１０の持ち運びの際に開口部３の狭くなっている頂点側が下になるため、そこにゴルフクラブＣのシャフトＳが重力及び遠心力にて集まるようになる。
このようにゴルフクラブＣのシャフトＳが互いに密着するように接することにより、収納部２に収納されたゴルフクラブＣが開口部３から抜け落ちることをより一層効果的に防ぐことができる。
【００６０】
さらに、前記本体部１は、前記把持部４が設けられている側面が、下方ほど幅狭となっており、本体部１内の収納部２が下方ほど狭くなっている（下すぼまり）。
また、前記本体部１の合成樹脂製の織布からなる裏地１ｃは、本体部１の表地１ｂと密着しておらず、収納部２内においてゴルフクラブＣのグリップＧ及びシャフトＳが裏地１ｃと広範囲で当接する。
従って、これらの構成によって収納部２内面とゴルフクラブＣとの間に生じる摩擦力により、収納部２内からゴルフクラブＣが抜け落ちることを防ぐ効果をさらに発揮するようになっている。
【００６１】
なお、前記本体部１の長さは、前記把持部４と対応する部分において約８８５ｍｍ、前記開口部３の頂点と対応する部分において約８４０ｍｍとなっており、一般的な男性ゴルファーが本体部１内にゴルフクラブを数本収納した状態で把持部４を持った場合に、図  ２に示すような角度にてバランスが得られるようになっている。
従って、本体部１の底部が地面に擦ることを効果的に回避できるとともに、本体部１に収納されたゴルフクラブが開口部３から抜け落ちることを防ぐことができる。
【００６２】
さらに、ピッチングウエッジ、サンドウエッジなどの短いゴルフクラブＣを水平状態とした際の重心位置は、グリップエンドから約７０ｃｍ程度となっているため、図１０（ｃ）に示すように、ゴルフクラブＣが収納部２内で水平になってもゴルフクラブＣのヘッドＨ側が下向きとなることはなく、ゴルフクラブＣが収納部２から抜け落ち始めることはない。
【００６３】
しかしながら、歩行中にクラブケース１０がさらに傾くことで、ゴルフクラブＣが開口部３から抜け出し、ゴルフクラブＣの重心位置が開口部３の外側に達すると、ゴルフクラブＣが、図１０（ｄ）及び図１に示すように、ゴルフクラブＣのグリップＧ及びシャフトＳの上側が滑り止め部５と当接する状態となる。
【００６４】
ここで、ゴルフクラブＣのシャフトＳと接触する滑り止め部５は、収納部２内面のほぼ中央部に設けられている部分である。そして、かかる接触部分の位置は、収納部２の長さ又は大きさ、収納部２又は本体部１の柔軟性、保形材３ａの大きさ、といった具体的な設計事項により、さらには、収納されているゴルフクラブＣの種類及び本数などによって変動するといったある程度の幅を有するものである。
一般的には、収納部２の内底部からグリップＧの長さ（約２５〜２７ｃｍ）分程度上方の位置を下端とし、そこからさらに３０〜４０ｃｍ上方の位置（開口部３から２０〜３０ｃｍの位置）までを上端とする位置が、本発明において滑り止め部５を設けるのに適した「収納部内面のほぼ中央部」に相当する。
【００６５】
なお、フェアウエーウッドなどの長いゴルフクラブＣにおいては、水平状態とした際の重心位置が収納部２から常に外に出た状態となるため、ゴルフクラブＣのシャフトＳ又はグリップＧが滑り止め部５に当接する作用が生じ易くなる。
【００６６】
上記のようにゴルフクラブＣのグリップＧ及びシャフトＳの上側が滑り止め部５と当接する状態においては、ゴルフクラブＣのヘッドＨの重量によって「てこ」の原理による上向きの力が収納部２内のグリップＧ及びシャフトＳに作用するため、ゴルフクラブＣがそれ以上クラブケース１０から抜け出すことが効果的に防止される。
前記滑り止め部５と直接接していない他のゴルフクラブＣも、グリップＧなどが収納部２内にて詰まるような状態となり、クラブケース１０から抜け出すことが防止される。
【００６７】
さらに、上記のように開口部３が下を向くように本体部１を傾けた場合には、ゴルフクラブＣの重量により、図１０（ｄ）及び図１に示すように、保形材３ａの下方の滑り止め部５及び表地１ａが下方に引かれて収納部２を閉じるように本体部１が変形する。
よって、ゴルフクラブＣのシャフトＳが収納部２内にて締め付けられるようになり、ゴルフクラブＣがそれ以上クラブケース１０から抜け出すことがより一層効果的に防止される。
【００６８】
また、図５及び図７に示すように、裏地１ｃと保形材３ａとの境界部分Ｂに段差が形成され、その境界部分ＢにグリップＧが引っ掛かることによっても、ゴルフクラブＣがクラブケース１０から抜け出すことが防止される。
【００６９】
上記にて説明したように、本実施例のクラブケース１０は、
構成（１）：把持部４が設けられた側面に対応する収納部２の内面（上部から底部まで）に滑り止め部５が形成されていること
によって、収納部２からゴルフクラブＣが抜け出すことを防ぐことができるばかりか、次のような構成（２）〜（１０）によっても収納部２からゴルフクラブＣが抜け出すことをより一層効果的に防いでいる。
【００７０】
構成（２）：本体部１及び本体部１内の収納部２が下部ほど狭くなっており収納部２の下部にてゴルフクラブＣのグリップＧ同士が密着するようになっていること。
構成（３）：収納部２の下部が柔軟な素材から構成されており、収納部２内面がゴルフクラブＣのグリップＧ及びシャフトＳの側面形状に沿うように変形し、ゴルフクラブＣとの接触面積が増大するようになっていること。
構成（４）：開口部３が把持部４から離れるほど下方に向いて斜めに形成されており把持部４及び肩掛けベルト８の取付位置を本体部１の上端に近づけることができるため、クラブケース１０の使用時において本体部１がなるべくクラブヘッドＨが水平より上方に向くようにすることができること。
【００７１】
構成（５）：開口部３が把持部４から離れるほど（下側ほど）狭くなっており開口部３付近にてゴルフクラブＣのシャフトＳ同士が密着するようになっていること。
構成（６）：収納部２の内面を構成する裏地１ｃが本体部１の表地１ｂと密着しておらずグリップＧと広範囲で密着すること。
構成（７）：本体部１がゴルフクラブ１の重量を支えられる程度の強度を有していること（補強部７を設けたことによる腰があること）。
【００７２】
構成（８）：把持部４を持つと本体部１の下部がゴルフクラブの重量により下方へ垂れ下がり開口部３付近ないし本体部１の中央部付近の収納部２が閉じられるように変形すること。
構成（９）：開口部３付近に設けられた保形材３ａとその下方にある裏地１ｃとの間の境界部分Ｂに段差が形成されていること。
構成（１０）：ショートアイアンなどの短いゴルフクラブにおいて、グリップエンドから長手方向の重心位置までの長さより、収納部２の長さの方が長いこと。
【００７３】
さらに、本発明のクラブケース１０は、以下の構成（１１）〜（１３）により、収納部２へゴルフクラブＣを挿入すること、及び、収納部２からゴルフクラブＣを取り出すことが容易となっている。
構成（１１）：開口部３に保形材３ａを配置しており、開口部３が常時開いていること。
構成（１２）：開口部３の保形材３ａが把持部４から離れるほど下方に向いて斜めに形成されており、開口面積が広くなっていること。
構成（１３）：クラブケース１０の下端部を地面に置いてゴルフクラブＣを出し入れする際にはクラブケース１０がほぼ直立した状態となり、クラブケース１０の本体部１がゴルフクラブＣの重量によってほとんど変形しないため、滑り止め部５がシャフトＳとほとんど接触することがないこと。
【実施例２】
【００７４】
次に、本発明を具体化した他のクラブケース２０について、図１１に従って説明する。
本実施例のクラブケース２０は、最大で７〜８本までのゴルフクラブＣを収納してゴルフのラウンド中に使用するのに適した寸法及び強度に形成されている。
【００７５】
２１は、略円筒状の本体部であって、当該本体部２１内にはゴルフクラブの収納部２２が形成されるとともに、当該本体部２１及び収納部２２の下部は、徐々に狭くなるように形成されている。
さらに、前記本体部２１及び収納部２２は、収納部２２内に収納されるゴルフクラブＣの重量を支えることができ、かつ、ゴルフクラブＣの重量により変形する柔軟な素材から構成されており、全体を折り曲げて運搬したり、収納・保管することもできるようになっている。
【００７６】
２３は、前記本体部２１の上部に形成された開口部であって、当該開口部２３近傍の本体部２１には、把持部２４が固定されている。
２５は、前記収納部２２の内面全体に設けられた滑り止め部であって、前記実施例と同様のＰＶＣ製の合成皮革生地から構成され、生地の表面側がゴルフクラブＣのシャフトＳと接触することで、ゴルフクラブＣの抜け落ちを防止することができるようになっている。
【００７７】
２６は、前記本体部２１の開口部２３周辺に複数個設けられたベルト通しであって、面ファスナーを備えたベルト２７を挿通可能となっている。そして、このベルト通し２６に挿通されたベルト２７を締め付けることで、前記開口部２３を絞るように閉じて収納部２２からゴルフクラブＣが抜け出すことを確実に防止することができるようになっている。
２８は、肩掛けベルトであって、前記本体部２１の上部に固定された環状金具２８ａに対して着脱可能となっている。
【００７８】
本実施例のクラブケース２０は、前記収納部２２内に数本のゴルフクラブＣを入れると、当該収納部２２の下部が狭くなっているため、ゴルフクラブＣのグリップＧ同士が混み合って接触したり、グリップＧが収納部２２の下部の滑り止め部２５と接触することで、ゴルフクラブＣが収納部２２から抜け出すことをある程度防止することができる。
【００７９】
また、本実施例のクラブケース２０内に数本のゴルフクラブＣを入れた状態で前記把持部２４によってクラブケース２０を持ち上げると、前記実施例のクラブケース１０と同様に、前記把持部２４の下方位置付近の本体部２１がゴルフクラブＣの重量により折れ曲がるように変形する。
従って、ラウンド中においてクラブケース２０の開口部２３が下向きになった場合においても、前記収納部２２内面のほぼ中央部の滑り止め部２５がゴルフクラブＣのシャフトＳと接触することで、ゴルフクラブＣが収納部２２から抜け出すことを防止することができる。
【実施例３】
【００８０】
次に、本発明を具体化した他のクラブケース３０について、図１２に従って説明する。
本実施例のクラブケース３０は、前記実施例と同様に最大で７〜８本までのゴルフクラブＣを収納してゴルフのラウンド中に使用するのに適した寸法及び強度に形成されている。
【００８１】
３１は、略円筒状の本体部であって、当該本体部３１内にはゴルフクラブの収納部３２が形成されるとともに、当該本体部３１及び収納部３２の下部は、徐々に狭くなるように形成されている。
さらに、前記本体部３１及び収納部３２は、収納部３２内に収納されるゴルフクラブＣの重量を支えることができ、かつ、ゴルフクラブＣの重量により変形する柔軟な素材から構成されているが、前記実施例と同様に、全体を折り曲げて運搬したり、収納・保管することもできるようになっている。
【００８２】
３３は、前記本体部３１の上部に形成された開口部であって、当該開口部３３と隣接する本体部３１には、フック状の把持部３４が固定されており、この把持部３４により、キャディーバッグの口枠またはゴルフカート６０の枠などにクラブケース３０を掛けることができる。
【００８３】
さらに、前記開口部３３は、前記把持部３４が設けられた前記本体部３１側から離れるに従って前記本体部３１の下方に向いて斜めに形成されているため、前記収納部３２内にゴルフクラブＣを収納した場合に本体部３１がなるべくクラブヘッドＨが水平より上方に向くような重量バランスを得ることができる。
【００８４】
３５は、前記収納部３２の内面において前記把持部３４が設けられた側面に沿って所定の幅にて上下方向に設けられた滑り止め部であって、前記実施例と同様のＰＶＣ製の合成皮革生地から構成され、生地の表面側がゴルフクラブＣのシャフトＳと接触することで、ゴルフクラブＣの抜け落ちを防止することができるようになっている。
３６は、前記把持部３４と一体に連結された円環状の口枠であって、前記本体部３１の上端に組み込まれ、前記開口部３３の形状を円形に維持するための保形材として機能するものである。
【００８５】
本実施例のクラブケース３０は、前記実施例のクラブケースと同様に、前記収納部３２内に数本のゴルフクラブＣを入れると、当該収納部３２の下部が狭くなっているため、ゴルフクラブＣのグリップＧ同士が混み合って接触したり、グリップＧが収納部３２の下部の滑り止め部３５と接触することで、ゴルフクラブＣが収納部３２から抜け出すことをある程度防止することができる。
【００８６】
また、本実施例のクラブケース３０内に数本のゴルフクラブＣを入れた状態で前記把持部３４によってクラブケース３０を持ち上げると、前記把持部３４の下方位置付近の本体部３１がゴルフクラブの重量により折れ曲がるように変形し、前記収納部３２内面のほぼ中央部の滑り止め部３５がゴルフクラブＣのシャフトＳと接触することで、ゴルフクラブＣが収納部３２から抜け出すことを防止することができる。
【実施例４】
【００８７】
次に、本発明を具体化した他のクラブケース４０について、図１３に従って説明する。
本実施例のクラブケース４０は、外観形状については前記実施例１のクラブケース１０と同様に構成されており、最大で７〜８本までのゴルフクラブＣを収納してゴルフのラウンド中に使用するのに適した寸法及び強度に形成されている。
【００８８】
４１は、略円筒状の本体部であって、当該本体部４１内にはゴルフクラブの収納部４２が形成されるとともに、当該本体部４１及び収納部４２の下部は、徐々に狭くなるように形成されている。
本実施例の前記本体部４１及び収納部４２は、収納部４２内に収納されるゴルフクラブＣの重量によっては変形しない硬質の材料から構成されている。
【００８９】
４３は、本体部４１の上部に形成された開口部、４４は、前記本体部４１の上部に固定された把持部であって、これらの開口部４３及び把持部４４は、それぞれ前記実施例１の開口部３及び把持部４と同様の形状にて設けられている。
４５は、前記収納部４２内面のほぼ中央部において把持部４４の下方に対応する位置に突出形成された滑り止め部であって、前記各実施例にて使用した合成皮革の生地と同様の生地から設けられ、前記収納部４２を部分的に緩やかに狭くするようにマウンド状に形成されている。
【００９０】
この滑り止め部４５は、前記収納部４２から抜け落ちようとするゴルフクラブＣのシャフトＳと接触して（場合によってはさらにグリップＧとも接触して）ゴルフクラブＣが収納部４２から抜け落ちるのを防止することができるものである。
この滑り止め部４５の設置に際しては、本体部４１との間に弾力性のある発泡材などを適宜配置することで、ゴルフクラブＣのシャフトＳとの接触具合を調整することも可能である。
【００９１】
本発明は上記各実施例に限定されるものではなく、本発明の趣旨を逸脱しない範囲で前記本体部や滑り止め部の材質、寸法、強度、形状などを適宜変更したり、把持部を省略して肩掛けベルトのみを取り付けて実施することも可能である。
【００９２】
また、把持部４、開口部３又は保形材３ａの形状、寸法、設置位置などを適宜変更したり、保形材３ａを省略して実施してもよい。
【００９３】
さらに、本発明の滑り止め部の配置を適宜変更し、収納部内のより広範囲に滑り止め部を形成して実施したり、逆に底部付近の滑り止め部を省略して実施したり、収納部の長手方向の中央部又は開口部付近などにおいて収納部の内面を周回するように環状の滑り止め部を形成して実施してもよい。
【産業上の利用可能性】
【００９４】
本発明は、ゴルフのラウンド中において数本のゴルフクラブを入れて持ち歩く用途に好適なクラブケースの製造において利用可能である。
【符号の説明】
【００９５】
１    本体部
１ａ  表地
１ｂ  表地
１ｃ  裏地
２    収納部
３    開口部
３ａ  保形材
４    把持部
５    滑り止め部
６    かしめ金具
７    補強部
７ａ  芯材
８    肩掛けベルト
８ａ  環状金具
１０  クラブケース（実施例１）
２０  クラブケース（実施例２）
２１  本体部
２２  収納部
２３  開口部
２４  把持部
２５  滑り止め部
２６  ベルト通し
２７  ベルト
２８  肩掛けベルト
２８ａ  環状金具
３０  クラブケース（実施例３）
３１  本体部
３２  収納部
３３  開口部
３４  把持部
３５  滑り止め部
３６  口枠
４０  クラブケース（実施例４）
４１  本体部
４２  収納部
４３  開口部
４４  把持部
４５  滑り止め部
５０  キャディバッグ
５１  開口部
６０  ゴルフカート
Ｂ    境界部分
Ｃ    ゴルフクラブ
ＣＰ  クランプ
Ｆ    滑車
Ｇ    グリップ
Ｈ    ヘッド
Ｓ    シャフト
Ｗ    ワイヤ
【図１】
0005557544.tif 000003
【図２】
0005557544.tif 000004
【図３】
0005557544.tif 000005
【図４】
0005557544.tif 000006
【図５】
0005557544.tif 000007
【図６】
0005557544.tif 000008
【図７】
0005557544.tif 000009
【図８】
0005557544.tif 000010
【図９】
0005557544.tif 000011
【図１０】
0005557544.tif 000012
【図１１】
0005557544.tif 000013
【図１２】
0005557544.tif 000014
【図１３】
0005557544.tif 000015